(57)【特許請求の範囲】
【請求項１】
浴室等の空気を吸気して，これを温風にした後，再度浴室等に送風する加熱部，該加熱部からの温風を４つの第１〜第４吹出口に導く導風部，浴室等の空気等を換気する換気部，前記加熱部や前記換気部を駆動制御する制御部を収納する底面開口の本体ケースと，該本体ケースの底面開口及び該本体ケースが据付けられる天井の据付開口を着脱可能に覆うグリルとを備え，前記制御部は，前記加熱部が収納される加熱室とは仕切板により区画された制御室内にあって，底面開口の制御部ケースに下方に引出し可能に収納して成ると共に，前記制御部が，前記制御部ケースから落下するのを防止する落下防止手段を有し，かつ前記第４吹出口と位置が一致するように第４吹出窓が設けられて前記制御室をカバーする制御室カバーの裏面に，前記加熱室と制御室とが連通することなく，前記第４吹出窓を加熱室に連通させる温風ガイドを固着すると共に，この温風ガイドには前記制御部ケースの底面開口の蓋が固着されていることを特徴とする浴室暖房乾燥機。
【請求項２】
落下防止手段が，前記制御部ケースに設けられた落下防止用爪係止と，前記制御部の電装部品支持部材に設けられた落下防止用爪とから構成されて，前記制御部の電装部品支持部材が前記制御部ケースから所定量抜出したときに，前記落下防止用爪が前記落下防止用爪係止に係合して当該制御部の落下を防止してなることを特徴とする請求項１記載の浴室暖房乾燥機。
【請求項３】
落下防止手段が，前記制御部ケースに設けられた抜防止用突起係合穴と，前記制御部の電装部品支持部材に設けられた抜防止用突起とから構成されて，前記制御部の電装部品支持部材が前記制御部ケースに装着されたときに，前記抜防止用突起が前記抜防止用突起係合穴に係合して当該制御部の落下を防止してなることを特徴とする請求項１記載の浴室暖房乾燥機。
【発明の詳細な説明】
【０００１】
【発明の属する技術分野】
本発明は，浴室や脱衣室（以下，浴室等という）を４方向吹出により暖房又は乾燥を行うことが可能な浴室暖房乾燥機に関する。
【０００２】
【従来の技術】
一般住宅における浴室等の温度は，まだ誰も入浴していない場合には，外気温とさほど変らないため，高齢者のように環境適応力が低下した人にとっては，冬場等における急激な温度変化が大きなヒートショックとなり，急激な血圧変動を引き起し死亡事故が発生することがある。
【０００３】
一方，近年住宅事情の変化により，浴室等の換気を十分に行うことができない場合があり，浴室等の壁や天井にカビが発生し易く，当該浴室等を乾燥できる手段が望まれている。
【０００４】
更に，住宅事情の変化により，洗濯物を乾かすための物干場を確保することが困難な場合も少なくなく，浴室等を物干場として使用することが提案されている。
【０００５】
かかる要求に対して，例えば特開平９−６６１９９号公報におけるような浴室暖房乾燥機が提案されている。
【０００６】
上記公報にかかる浴室暖房乾燥機１０は，図２５及び図２６に示すように，熱源機１１からの温水が循環する熱交換器１２，浴室等の空気を当該熱交換器１２を介して循環させるクロスフローファン１３，浴室等の空気を換気するための換気用ファン１４，クロスフローファン１３や換気用ファン１４に電力を供給する電源ブロック１８等を有している。
【０００７】
そして，当該浴室暖房乾燥機１０は，浴室等の天井に設けられた開口に設置され，天井裏で温水配管１６や排気ダクト１５が接続された構成となっている。
【０００８】
浴室暖房乾燥機１０，温水配管１６及び排気ダクト１５等の据付施工及びこれらのメンテナンスは，開口に隣接して設けられた点検口１７から天井裏に手を伸して，時には天井裏に入り込んで行うようになっている。
【０００９】
なお，浴室等に限らず一般的な部屋は，化粧板が野縁等により支持されて形成される天井，その上に設けらてネダ等により支持された天井（例えば，２階の床となるもの）とが存在し，これらで挟まれた空間が天井裏を構成している。そこで，本明細書では化粧板により貼られた天井を浴室天井等と記載し，その上の天井を本天井と記載する。
【００１０】
【発明が解決しようとする課題】
しかしながら，上記構成にかかる浴室暖房乾燥機１０は，温風の吹出しをクロスフローファン１３により行うため，吹出方向が一方向吹出となって浴室等内に大きな温度分布が生じる問題があった。
【００１１】
図２７は，かかる一方向吹出の場合について浴室の温度分布をシュミュレーションした結果を示している。同図からわかるように，浴室等の主要空間を体温（３６度）前後に設定すると，吹出口近傍の温度を４０度以上にしなければならない。
【００１２】
このことは，浴室温度が低いことによるヒートショックについては予防できるが，逆に高温によるヒートショックによりのぼせて転倒したりする危険がある。
【００１３】
また，温風は浴室等の壁に当らない構成なので，入浴者が浴室等の壁に触れて冷たい思いをしたり，浴室等の乾燥を行う場合には乾燥効率が悪くなる問題がある。
【００１４】
さらに，近年施工される家屋の浴室等は，規格寸法（例えば，１坪タイプ等）が多く，また浴室天井等に用いられる化粧板も規格寸法のものが多くなっている。従って，浴室暖房乾燥機１０や点検口１７を最適な場所に設けることが困難となる問題がある。
【００１５】
即ち，浴室等には，浴槽は勿論，戸や窓等が設けられており，これらに依存して温度分布が決るため，浴室暖房乾燥機の設置位置を決定する際には，これらの位置や大きさ等を勘案して最適位置に設ける必要がある。
【００１６】
このような最適位置の決定は，実際の温度分布を想定して施工する必要があるため，据付施工にはこれらの知識や経験のある作業者が不可欠となって，作業性を低下させる要因となると共に施工費用が高くなる問題がある。
【００１７】
また，最適位置を決定しても，当該最適位置が浴室天井の隅であったり化粧板の継目（メジ）の位置と一致しない場合には不体裁（意匠が悪くなる）になるので，最適位置を取るか体裁を取るかを選択しなければならなくなる問題がある。
【００１８】
また，保守点検において，例えば電源ブロック１８やモータ等の交換にはマイナスドライバを用いて係合箇所を解除しなければならず，構成が複雑になると共に，作業性が悪くなったり，誤って電源ブロック１８やモータ等を落したりする恐れがある。
【００１９】
そこで，本発明は，４方向吹出を可能にして効率的に浴室等の暖房及び乾燥が行えるようにすると共に，点検口を用いなくても容易に据付及びメンテナンスができるようにし，かつ，メンテナンス時において取外した電装部品が落下したりしないようにした浴室暖房乾燥機を提供することを目的とする。
【００２０】
【課題を解決するための手段】
上記課題を解決するため，請求項１にかかる発明は，浴室等の空気を吸気して，これを温風にした後，再度浴室等に送風する加熱部，該加熱部からの温風を４つの第１〜第４吹出口に導く導風部，浴室等の空気等を換気する換気部，加熱部や換気部を駆動制御する制御部を収納する底面開口の本体ケースと，該本体ケースの底面開口及び該本体ケースが据付けられる天井の据付開口を着脱可能に覆うグリルとを備え，制御部は，加熱部が収納される加熱室とは仕切板により区画された制御室内にあって，底面開口の制御部ケースに下方に引出し可能に収納して成ると共に，制御部が，制御部ケースから落下するのを防止する落下防止手段を有し，かつ第４吹出口と位置が一致するように第４吹出窓が設けられて制御室をカバーする制御室カバーの裏面に，加熱室と制御室とが連通することなく，第４吹出窓を加熱室に連通させる温風ガイドを固着すると共に，この温風ガイドには制御部ケースの底面開口の蓋が固着されていることを特徴とする。
【００２１】
請求項２にかかる発明は，落下防止手段が，制御部ケースに設けられた落下防止用爪係止と，制御部の電装部品支持部材に設けられた落下防止用爪とから構成されて，制御部の電装部品支持部材が制御部ケースから所定量抜出したときに，落下防止用爪が落下防止用爪係止に係合して当該制御部の落下を防止してなることを特徴とする。
【００２２】
請求項３にかかる発明は，落下防止手段が，制御部ケースに設けられた抜防止用突起係合穴と，制御部の電装部品支持部材に設けられた抜防止用突起とから構成されて，制御部の電装部品支持部材が制御部ケースに装着されたときに，抜防止用突起が抜防止用突起係合穴に係合して当該制御部の落下を防止してなることを特徴とする。
【００２３】
【発明の実施の形態】
本発明の実施の形態を図を参照して説明する。図１は本発明にかかる浴室暖房乾燥機の外観斜視図であり，図２はその組立分解斜視図，図３は浴室暖房乾燥機の本体の斜視図，図４は当該浴室暖房乾燥機を浴室及び脱衣室に据付けたときの様子を示す図，図５は浴室天井に据付けられた浴室暖房乾燥機の側面図である。
【００２４】
当該浴室暖房乾燥機１００は，浴室等の空気を温水と熱交換させて当該浴室等を暖めると共に換気する本体１０１，該本体１０１の前面（浴室等の側）に据付られたグリル１０２，本体１０１を天井に据付るための据付装置１０３等を有している。
【００２５】
据付装置１０３は，野縁１０４等に固定される野縁固定具１０５，該野縁固定具１０５に本体１０１を垂下して，当該本体１０１を固定する吊下部材１０６等により構成されている。
【００２６】
野縁固定具１０５は，図６に示すように方形をなすアングルで，各コーナ部には雌ネジ１０７が固着され，側板１０８に複数の貫通穴１０９が設けられて，野縁１０４にネジ止めする構成となっている。
【００２７】
吊下部材１０６は，図７に示すようにボルト１１０及びワッシャ１１１から構成されている。ボルト１１０は，先端に先端ネジ部１１２が形成されると共に後端に後端ネジ部１１３が形成され，かつ，これらの中間領域１１４の直径は，先端ネジ部１１２及び後端ネジ部１１３のネジ谷がなす直径より適宜小さくなっている。
【００２８】
一方，ワッシャ１１１は中央穴１１５まで切込１１６が形成されている。この中央穴１１５の寸法Ｄ１は，ボルト１１０の中間領域１１４の直径Ｄ２より適宜大きく，かつ，ボルト１１０の頭部がなす直径Ｄ３より適宜小さくなっている。
【００２９】
グリル１０２は図８に示すように，４方の周辺部に第１〜第４吹出口２４０〜２４３を開閉するように第１〜第４ルーバ２４４〜２４７が設けられ，当該第１〜第４ルーバ２４４〜２４７により温風の吹出方向を設定するようになっている。
【００３０】
一方，吸気パネル１１７の一端には，頭部が脚部より幅広に形成された概略「Ｔ」字状のヒンジ爪１２０が突設され，対向する端部には開閉ボタン１２１が設けられている。また，吸気パネル１１７の裏面（本体１０１側）の対向する端部には，それぞれ図示しないフィルタ支持爪が設けられてフィルタが脱着可能になっている。
【００３１】
図９は本体１０１の内部構成を示す斜視図で，当該本体１０１は浴室等の空気を吸気して，これを温風にした後，再度浴室等に送風する加熱部１２８，該加熱部１２８からの温風を４つの第１〜第４吹出口２４０〜２４３に導く導風部１６１，浴室等の空気等を換気する換気部１３０，加熱部１２８や換気部１３０を駆動制御する制御部１３１等を有し，これらが本体ケース１３２内に収納されている。
【００３２】
なお，本体ケース１３２内は，仕切板１３３により加熱部１２８等が収納される加熱室と換気部１３０や制御部１３１等が収納される制御室とに区画されて，少なくとも制御室には浴室等の湿度の高い空気が侵入しないようになっている。
【００３３】
加熱部１２８は，図１０に示すように，３辺からなる概略「コ」字状に形成されて，浴室等の空気を温水配管１３７を介して熱源機１３６から循環してきた温水と熱交換させる熱交換器１３８，浴室等の空気を吸気して熱交換器１３８を介して循環させる吐出す循環用送風機１３９等により構成されている。
【００３４】
導風部１６１は，図１１及び図１２に示すように，第１〜第３吹出窓１６２〜１６４が形成されて加熱室をカバーするように設けられた加熱室カバー１２６，第４吹出口２４３と位置が一致するように第４吹出窓１６５が設けられて制御室をカバーする制御室カバー１２７，加熱室と制御室とが連通することなく，第４吹出窓１６５を加熱室に連通させる温風ガイド１６６等により構成されている。
【００３５】
制御室カバー１２７には，図１２に示すように，第４吹出口２４３と位置が一致するように第４吹出窓１６５が設けられると共に，後述する換気用送風機１７３に吸気される空気の換気用空気通路１７４及び換気吸気口１７５が形成され，また当該制御室カバー１２７の裏面には，温風ガイド１６６が固着されるようになっている。
【００３６】
温風ガイド１６６は，側壁の一つが開口されて温風導入口１７６をなすと共に上面が開口されてなる箱体で，第４吹出窓１６５が位置する制御室カバー１２７の裏面に固着されて，温風導入口１７６から導入された温風が上面の開口を介して第４吹出口２４３から吹出されるようになっている。
【００３７】
換気部１３０は，図１３〜図１７に示すように，制御室カバー１２７に設けられた換気用空気通路１７４及び換気吸気口１７５を介して浴室又は脱衣室の空気を吸気して換気ダクト２１６に吐出すことにより換気する換気用送風機１７３，該換気用送風機１７３から吐出される空気が換気ダクト２１６に流入するように当該換気用送風機１７３の吹出流路を規定する換気用送風ガイド１８０，換気ダクト２１６が接続されるダクト接続管１８１，本体ケース１３２に設けられてダクト接続管１８１が装着される接続管連結口１８２，装着されたダクト接続管１８１が本体ケース１３２から抜けないようにする爪板１８３等により構成されている。
【００３８】
換気用送風機１７３は，循環用送風機１３９と同じ複数のエンペラが周囲に設けられた遠心型ファン１８４であるため，等方的に空気が吐出されるので，図１３及び図１４に示す換気用送風ガイド１８０が設けられて，吐出された空気が換気ダクト２１６に向うようになっている。なお，当該換気用送風ガイド１８０は，換気モータ１８９のカバーも兼ねている。
【００３９】
この換気用送風ガイド１８０は，深皿状に形成された凹部１８５，該凹部１８５の中心に形成されてモータ軸が挿通するモータ軸穴１８６，凹部１８５の側面が一部開口されてダクト接続管１８１に連通する換気空気吹出口１８７，当該換気用送風ガイド１８０を本体ケース１３２に固定するための仮止爪１８８等により構成されて換気モータ１８９の頭部に配設される。
【００４０】
なお，本体ケース１３２には図１５に示すような換気モータ１８９が収納される換気モータ収納穴１９０が設けられると共に，当該換気モータ収納穴１９０の上端周辺部に換気用送風ガイド１８０に設けられた仮止爪１８８が係合する係止突起１９１が設けられている。
【００４１】
そして，換気モータ１８９の頭部と底部とに換気モータ支持部材１９２を宛い，換気モータ収納穴１９０に収納して，凹部１８５の中心に形成されたモータ軸穴１８６にモータ軸を挿通しながら換気用送風ガイド１８０を被せ，当該換気用送風ガイド１８０を回転させることにより仮止爪１８８と係止突起１９１とを係合させる。
【００４２】
これにより，換気用送風ガイド１８０は換気モータ１８９を支持しながら本体ケース１３２に仮止され，その後ネジにより固定する。
【００４３】
このように換気モータ１８９を支持する換気用送風ガイド１８０が仮止される構成にすることにより，作業者は両手が使えるようになり，ネジを抑えながらドライバーを使うことが可能になって，作業効率及び安全性が向上する。
【００４４】
ダクト接続管１８１は，図１６に示すように，接続された換気ダクト２１６が容易に抜けないようにする返し構造の突起１９３が設けられたダクト接続部１９４，本体ケース１３２に設けられた接続管連結口１８２に装着された際に，当該ダクト接続管１８１の回転位置を位置決めする回転位置規制部１７９，接続管連結口１８２に装着された際の挿入位置を規制する挿入位置規制部１９５，爪板１８３が挿着される爪板挿着溝１９６，ダクト接続管１８１を接続管連結口１８２に装着する際に把持する取手部１９７，換気ダクト２１６内を空気が逆流しないようにする逆止弁１９８等により構成されている。
【００４５】
なお，図１６（ａ）は，ダクト接続管１８１の側面図，図１６（ｂ）はその断面図，図１６（ｃ）は正面図である。
【００４６】
ダクト接続管１８１内には，逆止弁１９８が配設されると共に，当該ダクト接続管１８１の内壁に逆止弁１９８が逆方向（本体ケース１３２側）に傾かないように規制する逆止弁規制突起１９９が設けられている。
【００４７】
そして，逆止弁１９８は，その重心から所定量ずれた所（図１６（ｃ）では上方）で揺動軸２００により揺動可能に設けられて，換気を行わない場合には，自重で垂下がることによりダクト接続管１８１を閉じると共に，ダクト接続管１８１内を空気が逆流しようとしたときには，逆止弁１９８が逆止弁規制突起１９９に当接して当該ダクト接続管１８１が開かないようになっている。
【００４８】
爪板１８３は，図１７に示すように，ダクト接続管１８１が挿入される挿入口２０１が形成され，その断面は楔状に形成されて，爪板挿着溝１９６への挿入を容易にすると共に，挿入完了時には，ダクト接続管１８１と本体ケース１３２とが密着してガタツキが生じないようになっている。
【００４９】
制御部１３１は，図１８〜図２０に示すような金属製等の耐熱部材からなる制御部ケース２０２，図２１及び図２２に示すような該制御部ケース２０２に収納されて循環用送風機１３９や換気用送風機１７３に電力を供給して制御する電装部品が据付られた電装部品支持部材２０３等を有している。
【００５０】
図１８は制御部ケース２０２の正面側面図，図１９は図１８における矢視Ｆから見たときの側面図，図２０は図１８における矢視Ｇから見たときの上面図である。また，図２１は電装部品支持部材２０３の側面図，図２２は図２１における矢視Ｊから見たときの側面図である。
【００５１】
なお，制御部ケース２０２には，蓋２０４が設けられ，当該蓋２０４は温風ガイド１６６の底面に固着されている（図１２参照）。従って，制御部１３１の保守等においては，温風ガイド１６６を取外すだけで制御部１３１の蓋２０４を取ることが可能になっている。
【００５２】
電装部品支持部材２０３の側面上端には抜防止用突起２０５が設けられると共に，正面下端には落下防止用爪２０６が設けられている。また，制御部ケース２０２の側面上端には抜防止用突起係合穴２０７が設けられると共に，正面に落下防止用爪係止２０８が設けられている。
【００５３】
この抜防止用突起２０５は，電装部品支持部材２０３の端部に設けられた山状突起で，その頂部が電装部品支持部材２０３を制御部ケース２０２に正しく収納した際に，制御部ケース２０２の抜防止用突起係合穴２０７に填り込むことにより，電装部品支持部材２０３が制御部ケース２０２から抜落ちないようにしている。
【００５４】
そして，電装部品支持部材２０３を制御部ケース２０２から引抜く時は，抜防止用突起２０５の開放端２０９をケース内側に引き，抜防止用突起２０５と抜防止用突起係合穴２０７との係合を解除することにより行う。
【００５５】
なお，制御部１３１の保守点検時（浴室暖房乾燥機１００は浴室天井に据付られている）は，不用意に抜防止用突起２０５と抜防止用突起係合穴２０７との係合を解除すると電装部品支持部材２０３が落下して，破損してしまうようなことが起り得る。
【００５６】
このような事態を防止するために，電装部品支持部材２０３が所定位置まで抜けたときに落下防止用爪２０６が落下防止用爪係止２０８に係合するように設けられている。
【００５７】
この落下防止用爪係止２０８は，図２０からもわかるように，制御部ケース２０２の正面側面の一部をケース外側に向って膨らませて形成された円弧状部２１０，該円弧状部２１０の端部を制御部ケース２０２と切離すことにより形成された円弧状端部２１１とにより構成されている。
【００５８】
従って，電装部品支持部材２０３が収納されている時は，落下防止用爪２０６は円弧状部２１０内に位置して制御部ケース２０２と接触しないが，落下すると落下防止用爪２０６が円弧状端部２１１に填り込んでそれ以上の落下が防止されるようになっている。
【００５９】
無論，電装部品の検査や交換等があり得るので，そのときは落下防止用爪２０６が円弧状端部２１１に係止される直前まで電装部品支持部材２０３を抜出し，その後円弧状端部２１１より下の本体ケース１３２部分を適宜広げて円弧状端部２１１に落下防止用爪２０６が係止されないようにして引出せばよい。
【００６０】
次に，上記構成の浴室暖房乾燥機１００の据付手順及び保守点検手順を図４に示す浴室と脱衣室とに浴室暖房乾燥機１００を据付，熱源機１３６からの温水は脱衣室の浴室暖房乾燥機１００に供給される場合を例に説明する。
【００６１】
また，浴室暖房乾燥機１００の据付は，既存住宅に据付る場合であって，浴室天井及び脱衣室天井の野縁１０４の間隔が６０ｃｍの場合について説明する。しかし，本発明は，これらに限定されるもので無く，新築住宅に据付けてもよいことは明らかである。
【００６２】
なお，野縁１０４には化粧天井板が固定されて，当該化粧天井板のメジの位置が野縁１０４の位置となっているものとする。
【００６３】
このような前提で据付手順や保守点検手順を説明するが，浴室等及び脱衣室における浴室暖房乾燥機１００の共通する据付手順等は，これらの区別を行わないで説明する。
【００６４】
先ず，浴室暖房乾燥機１００を据付るための据付開口２１２を浴室天井等に設ける。当該浴室暖房乾燥機１００の本体ケース１３２の寸法は例えば５３ｃｍとし，据付開口２１２は例えば５５ｃｍの正方形とする。また，グリル１０２の寸法は野縁１０４の間隔より広い寸法で，例えば６１ｃｍとする。
【００６５】
規格住宅における野縁１０４間の最小幅が６０ｃｍであるので，上記寸法に設定するならば，どのような規格住宅でも据付けることができるようになり，野縁１０４の間を広げたりする作業及びそれに伴うコスト不要になる。
【００６６】
熱源機１３６からの温水配管１３７を脱衣室の浴室暖房乾燥機１００まで配管する。このとき，温水配管１３７は後述する理由から適宜長めに配管する。また，換気ダクト２１６を据付開口２１２の近傍まで配設しておく。さらに制御線２１３を配線しておく。
【００６７】
次に，野縁１０４に野縁固定具１０５を固定する。そして，野縁固定具１０５の雌ネジ１０７に，ボルト１１０の先端ネジ部１１２を螺合させて，当該ボルト１１０が据付開口２１２から吊下がった状態にしておく。
【００６８】
このような状態が完了した後，図２３に示すように，浴室暖房乾燥機１００の本体１０１を持上げ，当該本体１０１の周辺４隅に設けられた吊下穴１７７にボルト１１０を通す。この吊下穴１７７はボルト１１０の頭より適宜大きく，かつ，ワッシャ１１１より小さく形成されている。
【００６９】
そして，ワッシャ１１１を切込１１６からボルト１１０に挿入し，当該ボルト１１０の頭にワッシャ１１１を当接させて本体１０１を下げる。吊下穴１７７はワッシャ１１１より小さいので，本体１０１はワッシャ１１１に当接して中吊状態となる。図２４は，このときの様子を示す断面図である。
【００７０】
浴室等及び脱衣室の浴室暖房乾燥機１００をこのような中吊状態にした後，温水配管１３７の接続及び制御線２１３の接続を行う。
【００７１】
温水配管１３７は，適度にフレキシブルな樹脂管等が用いられ，かつ，長めに配管されているので，当該温水配管１３７の端部を浴室側等に引出して給排水部２３０に接続する。
【００７２】
これにより温水配管１３７及び制御線２１３の接続が完了し，次に本体１０１を所定位置に固定する。当該本体１０１の固定は，ボルト１１０の先端ネジ部１１２が雌ネジ１０７を越えるまで回して，雌ネジ１０７が中間領域１１４に位置するようにする。そこで，本体１０１及びボルト１１０を押上げて，後端ネジ部１１３と雌ネジ１０７とを螺合させることにより行う。
【００７３】
本体１０１が所定位置に固定された後，制御室カバー１２７を取外し（予め取外しておいてもよい），本体ケース１３２の内側から換気ダクト２１６を当該本体ケース１３２に引込むようにして接続する。
【００７４】
そして，グリル１０２を本体１０１にネジ止めし，４つの第１〜第４ルーバ２４４〜２４７の角度を温風が適宜所望の方向に送風されるように調整して浴室暖房乾燥機１００の据付作業が完了する。
【００７５】
なお，据付装置１０３の状態，据付開口２１２の形成状態或は化粧天井板の固定状態等により，本体１０１が化粧天井板のメジと平行にならない場合がある。このとき，本体ケース１３２の端部とメジとは近接しているので，多少の非平行状態でも目立ってしまい微調整が必要になる。
【００７６】
しかし，本発明にかかるグリル１０２の寸法は，化粧天井板より大きめに設定されているので，かかる天井化粧板のメジが隠されて多少の非平行状態でも目立なくすることができるようになっている。
【００７７】
このようにして据付られた浴室暖房乾燥機１００の保守点検を行うときは，上述した据付手順を遡ることにより可能である。
【００７８】
【発明の効果】
以上説明したように請求項１にかかる発明によれば，浴室等の空気を吸気して，これを温風にした後，再度浴室等に送風する加熱部，該加熱部からの温風を４つの第１〜第４吹出口に導く導風部，浴室等の空気等を換気する換気部，加熱部や換気部を駆動制御する制御部を収納する底面開口の本体ケースと，該本体ケースの底面開口及び該本体ケースが据付けられる天井の据付開口を着脱可能に覆うグリルとを備え，制御部は，加熱部が収納される加熱室とは仕切板により区画された制御室内にあって，底面開口の制御部ケースに下方に引出し可能に収納して成ると共に，制御部が，制御部ケースから落下するのを防止する落下防止手段を有し，かつ第４吹出口と位置が一致するように第４吹出窓が設けられて制御室をカバーする制御室カバーの裏面に，加熱室と制御室とが連通することなく，第４吹出窓を加熱室に連通させる温風ガイドを固着すると共に，この温風ガイドには制御部ケースの底面開口の蓋が固着されているので，浴室天井のグリルを外して制御室カバーを外すだけで，制御部ケースの蓋も自動的に開いて制御部にアクセス可能になり，制御部自体も制御部ケースごと取り外すことなく制御部ケースから下方に引出すことができるので，制御部のメンテナンスのための作業が非常に簡単になると共に，浴室側等から天井に向って制御部を保守点検する際においても，当該制御部が落下してしまうことが無くなり，作業性及び安全性が向上する。
【００７９】
請求項２にかかる発明によれば，落下防止手段を制御部ケースに設けられた落下防止用爪係止と，制御部の電装部品支持部材に設けられた落下防止用爪とから構成して，制御部の電装部品支持部材が制御部ケースから所定量抜出したときに，落下防止用爪が落下防止用爪係止に係合するようにしたので，浴室側等から天井に向って制御部を保守点検する際においても，当該制御部が落下してしまうことが無くなり，作業性及び安全性が向上する。
【００８０】
請求項３にかかる発明によれば，落下防止手段が，制御部ケースに設けられた抜防止用突起係合穴と，制御部の電装部品支持部材に設けられた抜防止用突起とから構成されて，，制御部の電装部品支持部材が制御部ケースに装着されたときに，抜防止用突起が抜防止用突起係合穴に係合するようにしたので，浴室側等から天井に向って制御部を保守点検する際においても，当該制御部が落下してしまうことが無くなり，作業性及び安全性が向上する。
【図面の簡単な説明】
【図１】本発明の実施の形態の説明に適用される浴室暖房乾燥機の斜視図である。
【図２】浴室暖房乾燥機の分解斜視図である。
【図３】グリルを取除いたときの浴室暖房乾燥機本体の斜視図である。
【図４】浴室及び脱衣室に浴室暖房乾燥機を設けたときの模式図である。
【図５】浴室暖房乾燥機を据付けたときの側面図である。
【図６】野縁固定具の構成図である。
【図７】吊下部材の構成図である。
【図８】グリルの斜視図である。
【図９】浴室暖房乾燥機本体の内部構成を示す斜視図である。
【図１０】熱交換器の他の構成図である。
【図１１】加熱室カバーの上面図である。
【図１２】制御室カバーの斜視図である。
【図１３】換気用送風ガイドの上面図である。
【図１４】換気用送風ガイドの側面図である。
【図１５】換気用送風ガイドが固定される部分を含む本体ケースの断面図である。
【図１６】ダクト接続管の構成図である。
【図１７】爪板の構成図である。
【図１８】制御部ケースの側面図である。
【図１９】制御部ケースの側面図である。
【図２０】制御部ケースの底面図である。
【図２１】電装部品支持部材の側面図である。
【図２２】電装部品支持部材の側面図である。
【図２３】浴室暖房乾燥機本体の取付状況を示す模式図である。
【図２４】浴室暖房乾燥機本体を据付けたときの側面図である。
【図２５】従来の技術の説明に適用される浴室暖房乾燥機を浴室に取付けたときの模式図である。
【図２６】従来の技術の説明に適用される浴室暖房乾燥機の構成図である。
【図２７】従来の技術の説明に適用される一方向吹出の温度分布図である。
【符号の説明】
１００  浴室暖房乾燥機
１０１  本体
１０２  グリル
１０３  据付装置
１０４  野縁
１２８  加熱部
１３０  換気部
１３２  本体ケース
１３６  熱源機
１３８  熱交換器
１３９  循環用送風機
１６１  導風部
１６２〜１６４  第１〜第３吹出窓
１６６  温風ガイド
２０２  制御部ケース
２０３  電装部品支持部材
２０５  抜防止用突起
２０６  落下防止用爪
２０７  抜防止用突起係合穴
２０８  落下防止用爪係止
２１０  円弧状部
２１１  円弧状端部
２４０〜２４３  第１〜４吹出口
【図１】
0003999883.tif 000002
【図２】
0003999883.tif 000003
【図３】
0003999883.tif 000004
【図４】
0003999883.tif 000005
【図５】
0003999883.tif 000006
【図６】
0003999883.tif 000007
【図７】
0003999883.tif 000008
【図８】
0003999883.tif 000009
【図９】
0003999883.tif 000010
【図１０】
0003999883.tif 000011
【図１１】
0003999883.tif 000012
【図１２】
0003999883.tif 000013
【図１３】
0003999883.tif 000014
【図１４】
0003999883.tif 000015
【図１５】
0003999883.tif 000016
【図１６】
0003999883.tif 000017
【図１７】
0003999883.tif 000018
【図１８】
0003999883.tif 000019
【図１９】
0003999883.tif 000020
【図２０】
0003999883.tif 000021
【図２１】
0003999883.tif 000022
【図２２】
0003999883.tif 000023
【図２３】
0003999883.tif 000024
【図２４】
0003999883.tif 000025
【図２５】
0003999883.tif 000026
【図２６】
0003999883.tif 000027
【図２７】
0003999883.tif 000028